(57)【要約】【課題】複数の車載表示装置が接続された車内ネットワークにおいて、同時に複数の車載表示装置１０７から同一記録媒体１０１の映像や音楽を再生でき、再生位置の変更等の操作を行っても他の車載表示装置は影響を受けずに再生を続行できる車載装置を提供する。【解決手段】車載装置１０２は記録媒体のコンテンツデータを一時的に保持する一時保持手段と、前記記録媒体から読み出したコンテンツを再生中の前記車載表示装置を識別し、各車載表示装置に送出するコンテンツデータを個別に制御可能な車載表示装置管理手段１０５を備え、車載表示装置管理手段は、一時保持手段に記録媒体のコンテンツデータを一時的に保持し、保持されたデータを複数の車載表示装置１０７に対して伝送する。【選択図】図１
2009026401.tif 000002
【特許請求の範囲】
【請求項１】
音楽や映像等のコンテンツデータを表示出力可能な複数の車載表示装置と、該車載表示装置と接続され、記録媒体に記録された前記コンテンツデータを読み出し前記車載表示装置に対して送信し表示可能な車載装置において、
前記車載装置は前記コンテンツデータを保持する一時保持手段と、
前記記録媒体から読み出したコンテンツを再生中の前記車載表示装置を識別し、各車載表示装置に送出するコンテンツデータを個別に制御可能な車載表示装置管理手段とを具備し、
前記車載表示装置管理手段は、前記一時保持手段に前記記録媒体のコンテンツデータを一時的に保持し、前記保持されたデータを複数の車載表示装置に対して伝送することを特徴とする車載装置。
【請求項２】
請求項１に記載の車載装置において、
前記一時保持手段は、前記コンテンツデータを著作権保護の適用有無を判別できる形で保持することを特徴とする車載装置。
【請求項３】
請求項２記載の車載装置において、
前記車載装置は、車両の始動装置と連動して電力供給される電源線からの電力供給有無を認識し電源状況を判別する車両電源情報取得手段を更に具備して成り、前記車両電源情報取得手段において電源供給停止を判別した場合は、前記一時保持手段に保存したコンテンツデータの内の著作権保護適用コンテンツデータのみを消去することを特徴とする車載装置。
【請求項４】
請求項３に記載の車載装置において、
前記車載装置は、少なくとも前記車載表示装置と再生中のコンテンツ識別情報と、再生位置から成る再生コンテンツ履歴を保持する再生状況保持手段を更に具備し、
前記車載表示装置管理手段は、前記車両電源情報取得手段において電力供給停止を認識した際に前記再生状況保持手段に前記車載表示装置の再生コンテンツ履歴を記録し、次回再生時に前記再生状況保持手段の再生コンテンツ履歴を参照し、該車載表示装置応じたコンテンツ及び再生位置からコンテンツ再生を開始することを特徴とする車載装置。
【請求項５】
請求項４に記載の車載装置において、
利用ユーザに関する情報を読み取り可能な読取手段を更に具備し、前記車載表示装置管理手段は、前記車載表示装置の前記読取手段から取得したユーザの識別情報を受信し、前記再生状況保持手段に該ユーザ識別情報を前記車載表示装置に対応させて保持し、前記車両電源情報取得手段において電力供給停止を認識した際に、前記再生状況保持手段に前記車載表示装置の前記再生コンテンツ履歴を記録し、次回再生時に前記再生状況保持手段に保持された再生コンテンツ履歴を参照し、当該車載表示装置に対して当該再生コンテンツ履歴の前記ユーザ情報に応じたコンテンツ及び再生位置からコンテンツ再生を開始することを特徴とする車載装置。
【発明の詳細な説明】
【技術分野】
【０００１】
本発明は車載装置に係り、特に、車内ネットワークにおける複数の映像表示装置へのコンテンツ配信制御に関する。
【背景技術】
【０００２】
近年のマルチメディア技術の向上により、カーナビゲーションは地図やルートの表示だけでなく多機能となった。例えば、携帯電話などの無線通信によるインターネット接続を用いて駐車場や観光施設、飲食店等の情報取得が可能となった。また、動画や音声などの利用も多岐に渡り、地上波アナログ・デジタルＴＶ放送、ＤＶＤ（Digital Versatile Disc）による映画、移動体向け衛星放送などが挙げられる。
【０００３】
また、カーナビゲーションでのコンテンツ利用は、前席だけでなく後席にディスプレイを設置し、後席と前席とでコンテンツを再生することも可能となった。例えば特許文献１には、前席と後席にディスプレイを設置しており、運転者の安全を保護するため、走行中の前席における動画再生を禁止し、後席においては走行中でもコンテンツを再生可能とする車載用マルチメディアプレイヤーが提案されている。
【０００４】
また、特許文献２には、コピーワンスコンテンツを記録媒体Ａ（例えば、ハードディスクのような大容量記録媒体）から記録媒体Ｂ（例えば、容量の小さい移動体記録媒体）にムーブさせる場合に、記録媒体Ｂにムーブ後も記録媒体Ａのデータは物理的には消去せず、記録媒体Ａの利用権利を消去し、記録媒体Ｂへ利用権利を追加すると同時に、コンテンツの貸し出し情報を記録媒体Ｂへ記録するのではなく機器に記憶し、記録媒体Ｂのメディアキー及びコンテンツＩＤと一致しない限り記録媒体Ａのコンテンツの利用を防止するようにして著作権者の権利を保護するようにしたコンテンツコピー管理方法が開示されている。
【０００５】
【特許文献１】特開平９−６３２５７号公報
【特許文献２】特開２００６−１０７１６５号公報
【発明の開示】
【発明が解決しようとする課題】
【０００６】
しかしながら、前述した特許文献１では、車内の複数の表示装置からの同一記録媒体の利用を想定していないため、各表示装置は同一の映像しか再生することができない。よって、記録媒体再生装置への操作入力は、映像を再生中の全ての表示装置に影響する。例えば、あるユーザがチャプタ再生中のＤＶＤプレーヤに対してメニュー画面表示の操作を入力すると、同チャプタを参照中の他のユーザにもメニュー画面の視聴を強いることとなり不便である。
【０００７】
そこで、本発明の目的は上記背景技術の状況に鑑み、車内での複数の表示装置から多様なコンテンツの利用を可能とし、ユーザの利便性を向上させた車載装置を提供することにある。
【課題を解決するための手段】
【０００８】
上記課題を解決するため、本発明に係る車載装置は、音楽や映像等のコンテンツデータを表示出力可能な複数の車載表示装置と、該車載表示装置と接続され、記録媒体に記録された前記コンテンツデータを読み出し前記車載表示装置に対して送信し表示可能な車載装置において、前記車載装置は前記コンテンツデータを保持する一時保持手段と、前記記録媒体から読み出したコンテンツを再生中の前記車載表示装置を識別し、各車載表示装置に送出するコンテンツデータを個別に制御可能な車載表示装置管理手段とを具備し、前記車載表示装置管理手段は、前記一時保持手段に前記記録媒体のコンテンツデータを一時的に保持し、前記保持されたデータを複数の車載表示装置に対して伝送することを特徴とするものである。
【発明の効果】
【０００９】
本発明によれば、複数の車載表示装置から単一の記録媒体を同時に参照するシステムにおいて、相異なる再生位置でコンテンツを利用することが可能となり、ユーザ利便性が向上する。
【発明を実施するための最良の形態】
【００１０】
以下、本発明の実施の形態について、添付図面を用いて説明する。
【実施例１】
【００１１】
本実施例１の車載装置は、記録媒体に保持された音楽や映像等のコンテンツデータを、利用中の車載表示装置毎に一時保持手段に保持し、各装置からの操作を可能とすると共に、車両停止時には前記保持データにおける著作権保護対象データのみを削除する場合の例である。
【００１２】
図１は本発明に係る車載装置と、車載表示装置をネットワークで接続した車載ネットワークシステムの概念図である。図１に示すように、車載装置１０２には、コンテンツを記録した記録媒体１０１と、コンテンツデータを一時的に保持する一時保持手段１０３と、車両の電源装置からの電力供給の有無を検知する車両電源情報取得手段１０４と、車内ネットワーク１０６を介して接続された車載表示装置等の機器を認識可能な車載表示装置管理手段１０５が備えられている。
【００１３】
なお、コンテンツの記録媒体１０１としては、音楽や映像コンテンツを記録したＣＤやＤＶＤ、ＨＤ（High-Definition）ＤＶＤ 、ＢＤ（Blu-ray Disc)等のメディアである。また、ＨＤＤ（Hard Disk Drive）などの大容量記憶装置やフラッシュメモリカード等のシリコンメモリを利用した記憶装置でも良い。
【００１４】
車載装置１０２としては、記録媒体１０１の映像再生が可能なカーナビゲーションである。また車載ＤＶＤプレーヤや車載ＨＤＤレコーダ等の記録媒体再生装置が外付けもしくはネットワークで接続されていても良い。一時保持手段１０３は、ＨＤＤなどの大容量記憶装置やフラッシュメモリカード等のシリコンメモリを利用した記憶装置である。また、ＣＤ±ＲＷ、ＤＶＤ±ＲＷ、ＤＶＤ−ＲＡＭなどの再書き込みメディアでも良い。
【００１５】
なお、一時保持するコンテンツが著作権保護対象か否かの判別方法としては、記録媒体に含まれるコピーコントロール情報ＣＣＩ（Copy Control Information）を確認する方法が挙げられる。コピーコントロール情報ＣＣＩが、「コピー可（Copy-free）」となっている場合以外は、著作権保護対象である。特に、「コピー不可（Copy-never）」となって
いる場合は、コンテンツコピーは実施不可であり、他の記録媒体への記録が禁止されている。
【００１６】
したがって、バッファなどへの一時保持であっても、機器の分解などによる一時保持メモリからのデータ盗難を防止する必要がある。盗難防止方法としては、利用終了時のバッファ消去や、バッファ保持時はコンテンツを暗号化する方法等が挙げられる。
【００１７】
また、「コピー不可」コンテンツは、ネットワークへの伝送時もデータ盗難を防ぐ処理が必要な場合がある。ネットワークからの盗難を防止する技術としては、ＤＴＣＰ（Digital Transmission Contents Protection）等の著作権保護技術が挙げられる。本実施例における車内ネットワーク１０６に関してもＤＴＣＰ適用可能とする。
【００１８】
また、一時保持手段１０３へのデータ保持時に著作権保護対象コンテンツを明示する方法としては、データに付属する著作権保護対象フラグの有無とする。或いは、著作権保護対象判定フラグの代わりに、コピーコントロール情報ＣＣＩをコンテンツデータとともに保持しても良い。
【００１９】
車両電源情報取得手段１０４としては、図１には記載していないＣＡＮ（Controller Area Network）・ＬＩＮ（Local Interconnect Network）などのボディ系やパワートレイン系ネットワークから取得する車内センサーの情報を受け、車両電源情報取得手段１０４内部で予め保持している閾値などの情報を用いて車両状況の判定を行い、車両のエンジンと連動して電力が供給されるＡＣＣ（アクセサリキー）のＯＮ／ＯＦＦで車両が走行可能状態であるか否かを判別することが可能である。
【００２０】
車載表示装置管理手段１０５としては、ＣＰＵ等の演算装置やメモリなどの記憶装置と制御処理を実行するプログラムで構成される。
【００２１】
車内ネットワーク１０６としては、ＩＥＥＥ１３９４や、ＩＥＥＥ８０２．３、情報系の車載ネットワークであるＭＯＳＴ（Media Oriented Systems Transport）や、ＩＤＢ−１３９４、制御系の車載ネットワークや、映像データを転送するデータ線と制御データを転送する制御線を持つアナログ有線通信、無線ＬＡＮ（802.11a/b/g/n）やＢｌｕｅｔｏｏｔｈ、ＵＷＢ（Ultra Wide Band）など、無線通信等の通信方式が考えられる。以降、本明細書における車内ネットワークの通信方式は同様とする。
【００２２】
複数の車載表示装置１０７としては、車両の前席に設置され、運転席及び、助手席のユーザが視聴可能な前席モニタや、前席ヘッドレスト背面に埋め込まれた後席用モニタ、天井に設置され利用時にモニタ部を引き下げるルーフモニタ等である。また外部から持ち込まれ、車内ネットワーク１０６に接続された携帯電話機やポータブル型メディア再生機等でも良い。図１では、一例として、１０７ａ，１０７ｂの２台を示している。なお、「車載表示装置１０７」と称する場合は、複数の車載表示装置１０７ａ、１０７ｂ…を代表して呼ぶ場合であり、添え字を付けて「１０７ａ、１０７ｂ…」と称する場合は、個々の車載表示装置を示している。以下、他の装置の説明における参照符号、及び後述する各実施例についても同様である。）
車載表示装置１０７ａ、１０７ｂは、それぞれ固有ＩＤ１０８ａ、固有ＩＤ１０８ｂ、及び入力手段１０９ａ，１０９ｂを備えている。固有ＩＤ１０８としては、アルファベットや数字を組み合わせたＩＤ番号（識別番号）であり、本通信システム構成時に各車載表示装置に割当てられる。なお、ネットワーク通信チップに割当てられる固有のＩＤ番号でも良い。入力手段１０９は、車載表示装置１０７を利用するユーザがコンテンツデータの再生に関する指示を入力する手段であり、入力手段１０９としては、ディスプレイのタッチパネル機能や操作キーによる入力、音声解析を用いた音声入力、リモコンや携帯電話・ＰＤＡ（Personal Digital Assistants）などの情報端末からの赤外線、非接触ＩＣカードリーダ、ＲＦＩＤリーダ、Ｂｌｕｅｔｏｏｔｈなどの通信方式を用いた入力方法であっても良い。
図２は、一時保持手段１０３に車載表示装置１０７毎に保持された記録媒体データを示す概念図である。図２において、参照符号２０１〜２０４は、一時保持手段１０３に保持され、車載表示装置１０７に車内ネットワーク１０６を介して接続された複数の車載表示装置１０７ａ、１０７ｂ、１０７ｃ、１０７ｄにそれぞれ対応し、記録媒体１０１又は不図示のデジタルビデオカメラから読み出されたコンテンツデータを保持するバッファを示している。２０５、２０６、２０７、２０８は、ネットワーク１０６に送出される各車載表示装置に対応する再生コンテンツデータであり、矢印はデータの送出方向を示している。また、図１と同様の構成要素には同一参照符号を付している。
車載表示装置１０７用バッファ２０１（バッファ２０２〜２０４も同様である）としては、例えばメモリ上に確保されたＦＩＦＯ（First In，First Out）キューである。
【００２３】
再生コンテンツデータ２０５（２０２〜２０４も同様である）としては、例えば動画データであれば、ＭＰＥＧ２−ＴＳ（Moving Picture Experts Group 2 Transport Stream）や、Ｈ．２６４／ＭＰＥＧ―４  ＡＶＣ、ＭｏｔｉｏｎＪＰＥＧ等の圧縮データやＹＵＶのような非圧縮データでも良い。また音声では、ＭＰ３（MPEG-1AudioLayer-3）、ＡＡＣ（Advanced Audio Coding）、ＰＣＭ（Pulse Code Modulation）などの圧縮デジタル形式でも良い。
【００２４】
図２における機器の構成としては、記録媒体１０１を有する車載装置１０２に対して車載ネットワーク１０６を介して本図には記載されない車載表示装置１０７が、１０７ａ〜１０７ｄの４台接続されており、車載表示装置１０７ａ、１０７ｂは、記録媒体１０１のコンテンツ、例えば著作権保護対象であるＤＶＤ映像の異なるチャプタを参照している。また、車載表示装置１０７ｃ、１０７ｄは、図示されない記録媒体、例えばデジタルビデオカメラに保持された著作権保護非対象のビデオコンテンツを参照している。車載表示装置管理手段１０５は、固有ＩＤ１０８ａで識別される車載表示装置１０７ａにおいてユーザ入力手段１０９ａを用いてユーザが入力した再生要求を受け、記録媒体１０１のコンテンツデータを一時保持手段１０３に車載表示装置１０７ａに対応させて保持し、再生状況に応じて該コンテンツデータを順次ネットワーク１０６へ伝送する。また、他の車載表示装置から再生要求を受けた場合も同様に処理する。
【００２５】
車載表示装置管理手段１０５は、車載表示装置からの再生要求に応じて同様のバッファ処理を実施する。なお、バッファ処理実施時にバッファ対象のコンテンツが、著作権保護対象であるかをコピーコントロール情報ＣＣＩを参照することで認識し、コンテンツが著作権保護対象で有る車載表示装置用バッファにも記録する。図２中では、バッファ２０１及び２０２のチェックボックスにチェックを入れることで著作権保護コンテンツであることを示している。本実施例では、バッファ毎にコンテンツの著作権保護対象情報を入力しているが、コンテンツファイル毎でも良い。特に、記録媒体がＨＤＤレコーダの場合、ＨＤＤに含まれるコンテンツ毎に著作権保護情報が異なる可能性があるためである。
【００２６】
本例では、バッファ２０１は、車載表示装置１０７ａのコンテンツデータを保持するためのバッファであり、チャプタ４（以下、Ｃｈａ．４と記し、他のチャプタについても同様。）からＣｈａ．８までのコンテンツデータを保持、また図２中に示した三角の印は再生位置を示し、Ｃｈａ．６を再生コンテンツデータ２０５としてネットワーク１０６を介して車載表示装置１０７ｂへ伝送している。バッファ２０２は、車載表示装置１０７ｂのコンテンツデータを保持するためのバッファであり、Ｃｈａ．３を再生コンテンツデータ２０６としてネットワーク１０６を介して車載表示装置１０７ｂへ伝送している。同様に、バッファ２０３は車載表示装置１０７ｃのコンテンツデータを保持するためのバッファであり、デジタルビデオカメラの再生コンテンツデータＣａｍ．４を再生コンテンツデータ２０７として車載表示装置１０７ｃへ伝送し、バッファ２０４は車載表示装置１０７ｄのコンテンツデータを保持するためのバッファであり、デジタルビデオカメラの再生コンテンツデータＣａｍ．２６を再生コンテンツデータ２０８としてネットワーク１０６を介して車載表示装置１０７ｄへ伝送している。再生コンテンツデータ２０６、２０７、２０８に関しても同様である。ただし、このように記録媒体１０１のコンテンツデータを車載表示装置１０７の再生箇所とその前後のデータを保持することによって、車載表示装置１０７からの早送り、巻き戻し、次チャプタへの移動等の操作を車載表示装置管理手段１０５が受付けた場合、バッファ２０１に保持されたデータを用いることで応答可能となる。また、同一記録媒体のコンテンツを参照中の他の車載表示装置に、影響を与えることは無い。
【００２７】
さらにバッファ２０１で保持されたコンテンツデータ以外への再生をユーザが入力手段１０９から指示した場合、車載表示装置管理手段１０５が記録媒体１０１からコンテンツデータの指定箇所を読み出して車載表示装置１０７ａへ伝送し、さらに一時保持手段１０３へ該コンテンツデータ保持を開始する。本処理に際して、他の車載表示装置１０７ｂ、１０７ｃ、１０７ｄは、各々のバッファ２０２、２０３、２０４において予め保持されたコンテンツデータを再生する。
【００２８】
図３は、図１に示した記録媒体１０１、車載装置１０２、一時保持手段１０３、車両電源情報取得手段１０４、車載表示装置管理手段１０５、車内ネットワーク１０６、および車載表示装置１０７の動作説明図である。
【００２９】
車載表示装置管理手段１０５は、車両電源情報取得手段１０４から電力供給停止の通知を受け（ステップＳ３０１）、記録媒体１０１のコンテンツデータを一時保持手段を経て車載表示装置１０７へ伝送中か否かを判定し、伝送していない、もしくは一時保持手段１０３を経由せずに直接車載表示装置１０７へコンテンツデータを伝送している場合は終了し（ステップＳ３０２）、一時保持手段を用いてコンテンツデータを伝送している場合は、記録媒体１０１に対して再生停止を指示し（ステップＳ３０３）、また保持されたデータが、著作権保護データであるかどうか判定し、非著作権保護データである場合は、終了する（ステップＳ３０４）。著作権保護データである場合は一時保持手段１０３に保持されたコンテンツデータを全て消去し（ステップＳ３０５）、終了する。
上述した実施例では、一時保持手段１０３は、各車載表示装置毎にバッファを用意、もしくは１つのバッファの内部に各車載表示装置毎に領域を用意し、再生位置の前後データを記録保持しているが、重複するデータを共有データとして参照することで、記録媒体１０１からの読み出し回数削減や保持データ量を削減することが可能である。例えば図２で車載表示装置１０７ａ用のバッファ２０１のＣｈａ．４，５，６は、車載表示装置１０７ｃ用のバッファ２０３でも保持されている。この重複部分は車載表示装置１０７ａで再生が終了した後のコンテンツデータを、車載表示装置１０７ｃで再利用することにより、記録媒体１０１からのコンテンツデータ読出し回数を削減可能である。
【００３０】
また、一時保持手段に保持された情報を削減する方法としては、メモリ上のデータ記録アドレスを破棄する方法や、記録データに無意味な数字データを上書きする方法や、或いは一時保持手段に揮発性メモリを用いることで電力供給の停止によって消去する方法を選択しても良い。これは、著作権保護の観点より、運転停止後に一時保持されたデータを外部記録媒体へのコピー等によるコンテンツの盗難を防ぐことが目的である。
【００３１】
また、一時保持手段１０３でのコンテンツ保持方法としては、一時保持手段１０３の内部を著作権保護対象コンテンツを暗号化して保持する領域と、著作権保護非対象コンテンツを暗号化なしで保持する領域を確保しても良い。例えば、ＤＶＤビデオが著作権保護コンテンツで有る場合は、データを暗号化領域に記録し、データコピー等によるコンテンツの盗難を防止することが可能となる。
【００３２】
また、上記した実施例では、ＤＶＤの動画データということで説明したが、音楽ＣＤの場合においても同様に、複数の曲で構成されるアルバムを例えば車載表示装置１と２で利用し、それぞれ異なる曲を再生する際も、一時保持手段にそれぞれ一時的に保持し再生することにより、１つの記録媒体を複数のユーザで自由に利用することが可能となる。
【００３３】
また、最近のカーナビゲーションは、ＨＤＤを備え、音楽ＣＤの再生時にＨＤＤへリッピングし、音楽データをＭＰ３等の不可逆圧縮方式にて変換して記録している。この方式によれば、次回再生時はＣＤとＨＤＤから車載表示装置への音楽データ送信が可能だが、ＨＤＤに記録された圧縮データは原音よりも音データが少なくなり、原音と比較して音質が劣化する。さらに、ＣＤ，ＤＶＤを問わず記録媒体にはＨＤＤ等へのコピーを禁止したコンテンツも存在する。そのため、ＨＤＤへのリッピングによる配信方法では、複数の車載表示装置に対して高品質なコンテンツ再生はできなかった。しかし、本実施例の一時保持手段１０３を利用する方法によれば、高品質な原音を複数ユーザに同時に提供することが可能となる。
【００３４】
なお、本実施例１では、記録媒体１０１及び記録媒体の再生機能、さらに車載表示装置管理手段１０５を、同一の車載装置１０２が有していたが、各構成要素は、車載ネットワークで接続された異なる装置に具備されても良い。例えば、記録媒体１０１及び記録媒体の再生装置として車内ネットワークに接続されたＢＤプレーヤでも良い。
【００３５】
本実施例１によれば、記録媒体に保持されたコンテンツデータを一時保持手段に一時保持することにより、ＤＶＤ等の記録媒体に保持された動画コンテンツを複数の車載表示装置から同時に参照することが可能となり、また、再生位置の変更等の操作を行っても、他の車載表示装置は影響を受けずに間断なく再生を継続することが可能となる。
【実施例２】
【００３６】
本実施例は、車両停止時に各車載表示装置における再生情報を履歴として車載表示装置に対応する形で保持し、車両再起動時に前記履歴を読み出し、停止時点からコンテンツを再開する場合の例である。図４は本実施例の車載装置１０２と、車載表示装置１０７をネットワークで接続した車載ネットワークシステムの概念図である。
【００３７】
図４において、実施例１と同じ構成要素には同じ参照符号を付している。本実施例では、車載装置１０２に、再生状況保持手段４０１、再生コンテンツ履歴４０２を具備している点が実施例１の図１の構成と相違する。なお、本実施例でも記録媒体に保持されたコンテンツデータを一時保持手段１０３に保持することにより、同時に複数の車載表示装置からコンテンツを参照でき、再生位置の変更等の操作を行っても他の車載表示装置は影響を受けずに再生を続行できることは勿論である。再生状況保持手段４０１は、車両電源情報取得手段１０４からの電源供給停止の通知を受けた車載表示装置管理手段１０５が、車載表示装置１０７で再生中のコンテンツに関する情報を記録する。再生コンテンツ履歴４０２は、各車載表示装置１０７と再生されたコンテンツを関連付けた情報である。
【００３８】
再生状況保持手段としては、ＨＤＤなどの大容量記憶装置やフラッシュメモリカード等のシリコンメモリを利用した記憶装置である。また、ＣＤ±ＲＷ、ＤＶＤ±ＲＷ、ＤＶＤ−ＲＡＭなどの再書き込み可能な記録メディアでも良い。
【００３９】
再生コンテンツ履歴４０２としては、ＸＭＬ（Extensible Markup Language）などの言語で記述され、車載表示装置１０７の固有ＩＤ１０８と記録媒体１０１の種別やコンテンツ名、チャプタ情報、再生位置等の再開時に必要な各種情報である。
【００４０】
図５は、再生コンテンツ履歴４０２の詳細テーブル例である。図５において、５０１は車載表示装置１０７で保持され、識別可能な固有ＩＤ１０８等の車載表示装置情報、５０２は記録媒体１０１の種別を示す記録媒体種別、５０３は記録媒体１０１に保持されたコンテンツの名称であるコンテンツ名、５０４は記録媒体１０１に保持されたコンテンツのチャプタ番号などを示すチャプタ情報、５０５は記録媒体１０１に保持されたコンテンツの再生位置である。
【００４１】
車載表示装置情報５０１としては、固有ＩＤ等の複数の車載表示装置１０７を識別可能とするために必要な情報であり、表示装置としての画面サイズ、音声出力の有無等の機能や、設置位置などの各種情報追加で保持しても良い。
記録媒体種別５０２としては、ＤＶＤやＣＤまたは車載装置に外部接続されたデジタルビデオカメラであること等を種別として示す情報である。
チャプタ情報５０４としては、ＤＶＤではチャプタ番号、ＣＤでは曲番号等の情報である。
再生位置５０５は、前記コンテンツ名５０３の前再生位置、又は前記チャプタ情報５０４で判別されるチャプタ内の再生時間である。
【００４２】
図６は、上記図４に示した記録媒体１０１、車載装置１０２、車両電源情報取得手段１０４、車載表示装置管理手段１０５、再生状況保持手段４０１、再生コンテンツ履歴４０２、車内ネットワーク１０６、および車載表示装置１０７の動作シーケンス図である。
【００４３】
車載表示装置管理手段１０５は、車両電源情報取得手段１０４から電力供給停止の通知を受け（ステップＳ６０１）、記録媒体１０１のコンテンツデータを車載表示装置１０７へ伝送中か否かを判定し、伝送していない場合は終了し（ステップＳ６０２）、伝送している場合は、再生状況保持手段４０１に各車載表示装置にて再生中のコンテンツのチャプタ番号や再生位置などのコンテンツ情報を、履歴４０２として保持し（ステップＳ６０３）、次に記録媒体１０１に対して再生停止を指示し（ステップS６０４）、終了する。
図７は、上記図４における記録媒体１０１、車載装置１０２、車両電源情報取得手段１０４、車載表示装置管理手段１０５、再生状況保持手段４０１、再生コンテンツ履歴４０２、車内ネットワーク１０６、および車載表示装置１０７の車両電源供給開始時の各車載表示装置でコンテンツ再生を再開する動作シーケンス図である。
【００４４】
車載表示装置管理手段１０５は、車両電源情報取得手段１０４から電力供給開始の通知を受け（ステップＳ７０１）、各車載表示装置１０７の起動を、車内ネットワーク１０６を介して固有ＩＤ１０８を認識することで確認し（ステップＳ７０２）、再生状況保持手段４０１から再生コンテンツ履歴４０２を読出し、認識した車載表示装置１０７の固有ＩＤ１０８に対応するコンテンツ情報を確認する（ステップＳ７０３）。記録媒体１０１に再生コンテンツ履歴４０２に記されたコンテンツ情報と同一のコンテンツの有無を判定し、コンテンツが無ければ終了し（ステップＳ７０４）、該当するコンテンツがある場合には、コンテンツ履歴４０２に記されたコンテンツ名、チャプタ番号、再生位置等の情報を元に記録媒体１０１から読み出したコンテンツを車載表示装置１０７へ送信開始する（ステップＳ７０５）。
【００４５】
本実施例では、車載表示装置１０７として、外部から持ち込まれ車内ネットワーク１０６に接続された携帯電話機やポータブル型メディア再生機等の様に、表示機能などに個体差がある機器を表示装置として使用する場合、車載表示装置情報５０１として記した固有ＩＤの他に、表示装置としての画面サイズ、音声出力の有無等の機能、設置位置などの各種情報を記録することによって、コンテンツ再開時に画面サイズ補正などが自動適応可能となる。
本実施例２によれば、車両電源供給停止時に各車載表示装置で再生中のコンテンツ情報を記録することにより、車両電源供給が再開されたら各車載表示装置で終了時点からコンテンツを再開することが可能となる。
【実施例３】
【００４６】
本実施例は、車両移動時又は車載表示装置利用開始時に利用するユーザ情報を読み出し、車両停止時に再生中のコンテンツ情報を履歴として車載表示装置を使用する各ユーザ情報に対応する形で保持し、車載表示装置の再起動時に前記履歴を読み出し、停止時点の状態からコンテンツを再開する場合の例である。
【００４７】
図８は、本発明に係る車載装置と、車載表示装置をネットワークで接続した車載ネットワークシステムの概念図である。図８において、実施例２の図４と同じ構成要素には同じ参照符号を付している。
【００４８】
本実施例では、図８に示すように、本システムを利用するユーザの識別情報および車載表示装置等の設定を保持するユーザ情報保持手段８０１を車載装置１０２に、各車載表示装置１０７を利用するユーザ情報を読み取る読取手段８０２を、各車載表示装置に、それぞれ具備している点が実施例２の図４の構成と相違する。なお、本実施例でも記録媒体に保持されたコンテンツデータを一時保持手段に保持することにより、同時に複数の車載表示装置からコンテンツを参照でき、再生位置の変更等の操作を行っても他の車載表示装置は影響を受けずに再生を続行できることは勿論である。
ユーザ情報保持手段８０１としては、ＨＤＤなどの大容量記憶装置やフラッシュメモリカード等のシリコンメモリを利用した記憶装置である。また、ＣＤ±ＲＷ、ＤＶＤ±ＲＷ、ＤＶＤ−ＲＡＭなどの再書き込み可能な記録メディアでも良い。このユーザ情報保持手段８０１に保持されるユーザ情報としては、予めユーザが設定した車載表示装置１０７の出力設定、例えばＤＶＤビデオ再生時の言語や字幕出力設定、画面輝度、スピーカ位置やイヤホン使用有無、音量などの音声出力設定等である。また、プライバシーの観点より、利用者が家族以外の場合の使用制限や、車両安全性などの観点より、ユーザ設定を制限しても良い。例えば、走行中に運転席ディスプレイに対する動画の再生などはデフォルト設定で禁止し、ユーザ設定でも変更不可等である。
【００４９】
読取手段８０２としては、各ユーザに予め割当てられた専用スイッチや、ユーザが保持するＲＦＩＤタグを自動的に認識するＲＦＩＤリーダである。また、音声解析を用いた音声読取、指紋や指静脈認証機能付リモコンや携帯電話・ＰＤＡなどの情報端末からの赤外線接続、非接触ＩＣカードリーダ、Ｂｌｕｅｔｏｏｔｈなどでも良い。特にＢｌｕｅｔｏｏｔｈ機能を有する携帯電話・ＰＤＡではユーザの認証だけでなく、前記ユーザ情報保持手段８０１で保持するユーザ情報と同等のデータを保持することが可能であり、Ｂｌｕｅｔｏｏｔｈによる通信機能を利用して車両へのユーザ情報入力設定を簡便に実行することも可能である。
【００５０】
図９は、車載装置１０２に保持された各車載表示装置で再生したコンテンツの履歴情報テーブルである。図９において、９０１は車載表示装置１０７を利用するユーザの名前である利用ユーザ名、なお、実施例２の図５と同様の構成部には同一の符号を付している。
利用ユーザ名９０１としては、予めユーザ情報保持手段８０１に保持されたユーザに関する情報の１つであるユーザ名であって、固有ユーザＩＤのように利用ユーザを識別可能な固有情報であっても良い。
【００５１】
図１０は、図８に示した記録媒体１０１、車載装置１０２、車両電源情報取得手段１０４、車載表示装置管理手段１０５、再生状況保持手段４０１、再生コンテンツ履歴４０２、ユーザ情報保持手段８０１、読取手段８０２、車内ネットワーク１０６、および車載表示装置１０７の動作シーケンス図である。なお。図６と同様の動作説明については同一符号を付す。車載表示装置管理手段１０５は、車両電源情報取得手段１０４から電力供給停止の通知を受け（ステップＳ６０１）、記録媒体１０１のコンテンツデータを車載表示装置１０７へ伝送中か否かを判定し、伝送していない場合は終了し（ステップＳ６０２）、伝送している場合は再生状況保持手段４０１に各車載表示装置にて再生中のコンテンツのチャプタ番号などのコンテンツ情報を予め読み取り手段８０２で読み取られた利用ユーザ名に対応する形で再生コンテンツ履歴４０２として保持し（ステップＳ１１０１）、次に、記録媒体１０１に対して再生停止を指示し（ステップＳ６０４）、終了する。
【００５２】
図１１は、図８に示した記録媒体１０１、車載装置１０２、車両電源情報取得手段１０４、車載表示装置管理手段１０５、再生状況保持手段４０１、再生コンテンツ履歴４０２、ユーザ情報保持手段８０１、読取手段８０２、車内ネットワーク１０６、および車載表示装置１０７の動作シーケンス図である。
【００５３】
なお、図７と同様の動作説明については同一符号を付す。車載表示装置管理手段１０５は、車両電源情報取得手段１０４から電力供給開始の通知を受け（ステップＳ７０１）、各車載表示装置１０７の起動を車内ネットワーク１０６を介して固有ＩＤ１０８を確認することで認識し（ステップＳ７０２）、再生状況保持手段４０１から再生コンテンツ履歴４０２を読み出し、認識した車載表示装置１０７の固有ＩＤ１０８に対応するコンテンツ情報を確認する（ステップＳ７０３）。読取手段８０２より利用ユーザ名９０１を取得し、取得できなかった場合は前述のステップＳ７０３からＳ７０５を実施し（ステップＳ１００１）、利用ユーザ名９０１を取得した場合は、再生状況保持手段４０１の再生コンテンツ履歴４０２から利用ユーザ名９０１に対応するコンテンツ情報を参照し（ステップＳ１００２）、該当するコンテンツ情報が無い場合は終了し（ステップＳ１００３）、該当するコンテンツ情報が有る場合は、再生コンテンツ履歴４０２に記されたコンテンツ名、チャプタ番号、再生位置等の情報を元に記録媒体１０１から読出したコンテンツデータを利用ユーザ名に対応する車載表示装置１０７へ送信開始する（ステップＳ１００４）。
本実施例３によれば、車両電源供給停止時に各車載表示装置で再生中のコンテンツ情報を利用ユーザ情報に対応させて記録することで、車両電源供給再開始時に利用ユーザが停止時と異なる車載表示装置を用いた場合でも停止時点からコンテンツを再開することが可能となる。
【００５４】
本実施例３によれば、車両電源供給停止時に各車載表示装置で再生中のコンテンツ情報を、利用ユーザ情報に対応させて記録することにより、車両電源供給再開始時に利用ユーザが停止時と異なる車載表示装置を用いた場合でも停止時点からコンテンツを再開することが可能となる。
【図面の簡単な説明】
【００５５】
【図１】本発明の車載装置と車載表示装置をネットワークで接続した車載ネットワークシステムの概念図。
【図２】一時保持手段に表示装置毎に保持された記録媒体データの概念図。
【図３】図１の構成機器の車両電源供給停止時の動作シーケンス図。
【図４】本発明の車載装置と、車載表示装置をネットワークで接続した車載ネットワークシステムの概念図。
【図５】車載装置にて保持された各車載表示装置で再生したコンテンツの履歴情報テーブル図
【図６】図４の構成機器における車両電源供給停止時の各車載表示装置で再生中のコンテンツを記録する動作シーケンス図。
【図７】図４の構成機器における車両電源供給開始時の各車載表示装置でコンテンツ再生を再開する動作シーケンス図。
【図８】本発明の車載装置と、車載表示装置をネットワークで接続した車載ネットワークシステムの概念図。
【図９】車載装置にて保持された各車載表示装置で再生したコンテンツの履歴情報テーブル。
【図１０】図８の構成機器における車両電源供給停止時の各車載表示装置で再生中のコンテンツを記録する動作シーケンス図。
【図１１】図８の構成機器における車両電源停供給開始時の各車載表示装置でコンテンツ再生を再開する動作シーケンス図。
【符号の説明】
【００５６】
１０１…記録媒体、１０２…車載装置、１０３…一時保持手段、１０４…車両電源情報取得手段、１０５…車載表示装置管理手段、１０６…車内ネットワーク、１０７…車両表示装置、１０８…固有ＩＤ、１０９…入力手段。
【図１】
2009026401.tif 000003
【図２】
2009026401.tif 000004
【図３】
2009026401.tif 000005
【図４】
2009026401.tif 000006
【図５】
2009026401.tif 000007
【図６】
2009026401.tif 000008
【図７】
2009026401.tif 000009
【図８】
2009026401.tif 000010
【図９】
2009026401.tif 000011
【図１０】
2009026401.tif 000012
【図１１】
2009026401.tif 000013